(57)【特許請求の範囲】
【請求項１】
電線を案内し収納する長手方向に開口部を設けた収納体と、該収納体の開口部を閉塞するカバーとから成る配線ダクトにおいて、断面略Ｈ状で端部にフランジ部を折曲形成し、該フランジ部間の開口に壁材を挿入して固定する鉄骨製の露出した建物の柱に前記収納体の背板を当接させて前記配線ダクトを固定する際に、前記収納体に固定するための固定片と、前記柱のフランジ部を挟持するための挟持片と、前記柱のフランジ部の端縁部と前記壁材の間隙に差し込んで引っ掛けるための引っ掛け片とをクランク状に折曲形成して有する取り付け部材を前記収納体の外側の背板の左右両端部に対向するように配置し、長手方向に適宜間隔をおいて複数箇所に設けたことを特徴とする配線ダクト。
【請求項２】
前記取り付け部材の固定片の両端部近傍に螺孔を夫々穿設し、前記固定片の一方の螺孔と対向する前記収納体の背板に挿通孔を穿設し、前記収納体の内側から前記挿通孔と前記一方の螺孔に第１の螺子を挿通させて螺着固定し、締め付けを緩めて前記第１の螺子を軸に前記取り付け部材が回動する際に前記他方の螺孔に螺着した第２の螺子と対向する前記収納体の側板に透孔を穿設し、該透孔と隣接する前記背板に前記第２の螺子の軸部が挿入するために前記透孔と連続した螺子挿入孔を穿設し、前記第２の螺子を前記螺子挿入孔に挿入し、前記第１の螺子と前記第２の螺子を螺着固定したことを特徴とする請求項１に記載の配線ダクト。
【発明の詳細な説明】
【０００１】
【発明が属する技術分野】
本発明は、建造物の壁に電線を配線する際に、電線を案内保護する配線ダクトを壁に固定するための構造に関する。
【０００２】
【従来の技術】
従来、図７に示すように、配線ダクト３１は、電線を案内し収納する収納体３２の長手方向に開口部３３が形成され、開口部３３はカバー（図示せず）が係合されて閉塞されている。この配線ダクト３１を建物の壁材３４に固定するには収納体３２の背板３５の左右両端部近傍に穿設した挿通孔３６に螺子３７を挿通させて壁材３４に螺着固定していた。
【０００３】
また、仮設ハウス等で見られるような鉄骨製の露出した柱３８に配線ダクト３１を固定する場合、まず、配線ダクト３１の挿通孔３６と対向する位置に穴３９を開けておき、配線ダクト３１の挿通孔３６と柱３８の穴３９に螺子３７を挿通させて螺着固定していた。
【０００４】
【発明が解決しようとする課題】
上記従来の配線ダクトは、壁材３４または柱３８に固定する際に穴が開くため、仮設ハウス等の再利用をする建物は、商品価値が失われてしまい、再利用ができないので壁材や柱は処分され、資源を無駄にしていた。
【０００５】
【課題を解決するための手段】
上記従来の配線ダクトの問題点に鑑み、本発明の目的は、配線ダクトを建物の鉄骨製の露出した柱に固定する際に穴を開けることがなく、容易に取り付け作業ができる配線ダクトを提供するもので、その構造は、電線を案内し収納する長手方向に開口部を設けた収納体と、収納体の開口部を閉塞するカバーとから成る配線ダクトにおいて、断面略Ｈ状で端部にフランジ部を折曲形成し、フランジ部間の開口に壁材を挿入して固定する鉄骨製の露出した建物の柱に収納体の背板を当接させて配線ダクトを固定する際に、収納体に固定するための固定片と、柱のフランジ部を挟持するための挟持片と、柱のフランジ部の端縁部と壁材の間隙に差し込んで引っ掛けるための引っ掛け片とをクランク状に折曲形成して有する取り付け部材を収納体の外側の背板の左右両端部に対向するように配置し、長手方向に適宜間隔をおいて複数箇所に設けたことである。
【０００６】
また、取り付け部材の固定片の両端部近傍に螺孔を夫々穿設し、固定片の一方の螺孔と対向する収納体の背板に挿通孔を穿設し、収納体の内側から挿通孔と一方の螺孔に第１の螺子を挿通させて螺着固定し、締め付けを緩めて第１の螺子を軸に前記取り付け部材が挿入する際に他方の螺孔に螺着した第２の螺子と対向する収納体の側板に透孔を穿設し、透孔と隣接する背板に第２の螺子の軸部が挿入するために透孔と連続した螺子挿入孔を穿設し、第２の螺子を螺子挿入孔に挿入し、第１の螺子と第２の螺子を螺着固定したことである。
【０００７】
【発明の実施の形態】
請求項１に記載の配線ダクトによれば、電線を案内し収納する長手方向に開口部を設けた収納体と、収納体の開口部を閉塞するカバーとから成る配線ダクトにおいて、断面略Ｈ状で端部にフランジ部を折曲形成し、フランジ部間の開口に壁材を挿入して固定する鉄骨製の露出した建物の柱に収納体の背板を当接させて配線ダクトを固定する際に、収納体に固定するための固定片と、柱のフランジ部を挟持するための挟持片と、柱のフランジ部の端縁部と壁材の間隙に差し込んで引っ掛けるための引っ掛け片とをクランク状に折曲形成して有する取り付け部材を収納体の外側の背板の左右両端部に対向するように配置し、長手方向に適宜間隔をおいて複数箇所に設けたことにより、配線ダクトを建物の鉄骨製の露出した柱に固定する際に穴を開けることがなく、容易に取り付け作業ができる。
【０００８】
請求項２に記載の配線ダクトによれば、取り付け部材の固定片の両端部近傍に螺孔を夫々穿設し、固定片の一方の螺孔と対向する収納体の背板に挿通孔を穿設し、収納体の内側から挿通孔と一方の螺孔に第１の螺子を挿通させて螺着固定し、締め付けを緩めて第１の螺子を軸に前記取り付け部材が回動する際に他方の螺孔に螺着した第２の螺子と対向する収納体の側板に透孔を穿設し、透孔と隣接する背板に第２の螺子の軸部が挿入するために透孔と連続した螺子挿入孔を穿設し、第２の螺子を螺子挿入孔に挿入し、第１の螺子と第２の螺子を螺着固定したことにより、建物の鉄骨製の露出した柱に配線ダクトを容易に取り付けることができる。
【０００９】
【実施例】
本発明に係る配線ダクトの一実施例を図１〜図６の添付図面に基づいて説明する。
【００１０】
配線ダクト１は、電線２を案内し収納する収納体３と、収納体３の長手方向に形成された開口部４を閉塞するカバー５とで構成している。収納体３は、背板６と、この背板６の幅方向の両端に垂設された側板７により断面コ字状に形成され、側板７の先端は互いに近づく方向に折曲片８が形成され、折曲片８間に取付板９を介してコンセント１０やスイッチ１１が設けられている。
【００１１】
カバー５は、断面コ字状で側面板１２の夫々の先端に内側方向に係合突起１３が形成されている。カバー５は合成樹脂等により形成され、係合突起１３の下面は傾斜しているため、収納体３にカバー５を嵌め込むと、カバー５の側面板１２は外側方向に拡がり、更にカバー５を押し込むと係合突起１３が収納体３の背板６の端縁部に係止することによりカバー５を取り付けることができる。また、カバー５を収納体３から取り外す場合は、カバー５の側面板１２を外側方向に拡げて係合突起１３の係止を解除し、カバー５を手前に引くと取り外すことができる。また、コンセント１０やスイッチ１１はカバー５に形成した窓孔（図示せず）から露出され、窓孔はプレート１４により施蓋されている。収納体３に収納した電線２はこれらのコンセント１０やスイッチ１１に配線されている。
【００１２】
配線ダクト１を建物の鉄骨製の露出した柱１５に固定する際は、配線ダクト１に取り付け部材１６が取り付けられる。取り付け部材１６はクランク状に折曲形成され、収納体３に固定するための固定片１７と、柱１５を挟持するための挟持片１８と、柱１５の端縁部に引っ掛けるための引っ掛け片１９とを有し、収納体３の外側の背板６の左右両端部近傍に対向するように配置され、長手方向に適宜間隔をおいて複数箇所に設けられている。
【００１３】
取り付け部材１６は、固定片１７の両端部近傍に螺孔２０ａ，２０ｂが夫々穿設され、固定片１７の一方の螺孔２０ａと対向する収納体３の背板６に挿通孔２１が穿設されている。背板６の挿通孔２１と固定片１７の一方の螺孔２０ａには第１の螺子２２ａが挿通され、ドライバー等の工具を収納体３の折曲片８に穿設した貫通孔２３に貫通させて螺着固定される。挿通孔２１は、第１の螺子２２ａが左右に移動可能に長孔形状に形成されている。また、他方の螺孔２０ｂには予め第２の螺子２２ｂを緩めに螺着しておく。
【００１４】
第１の螺子２２ａを緩めると、取り付け部材１６は第１の螺子２２ａを軸に回動させることができる。取り付け部材１６を回動させた際に第２の螺子２２ｂと対向する収納体３の側板７には透孔２４が穿設され、この透孔２４と隣接する背板６には第２の螺子２２ｂの軸部が挿入するための透孔２４と連続した螺子挿入孔２５が穿設されている。
【００１５】
配線ダクト１が取り付けられる柱１５は、断面略Ｈ字状で、端部にフランジ部２６が折曲形成されている。このフランジ部２６間の開口２７に壁材２８が挿入され、壁材２８を固定している。
【００１６】
配線ダクト１を柱１５に固定するには、まず、取り付け部材１６を固定する第１の螺子２２ａと第２の螺子２２ｂを緩め、収納体３を柱１５に当接させる。次に第１の螺子２２ａを軸に取り付け部材１６を回動させて柱１５のフランジ部２６の端縁部と壁材２８の間隙に取り付け部材１６の引っ掛け片１９を差し込むとともに第２の螺子２２ｂを収納体３の透孔２４を通して螺子挿入孔２５に挿入する。次に左右の取り付け部材１６の挟持片１８で柱１５のフランジ部２６を挟むように取り付け部材１６をずらし、収納体３の内側から第１の螺子１６ａと第２の螺子１６ｂを締め付け、カバー５で収納体３を閉塞することにより配線ダクト１は固定される。
【００１７】
尚、本実施例において、取り付け部材１６を回動できるように収納体３の側板７に第２の螺子２２ｂが挿通するための透孔２４を穿設し、収納体３の背板に透孔２４に連続した螺子挿入孔２５を穿設したが、透孔２４を穿設しなくても何ら問題ない。
【００１８】
【発明の効果】
以上のように本発明に係る配線ダクトは、電線を案内し収納する長手方向に開口部を設けた収納体と、収納体の開口部を閉塞するカバーとから成る配線ダクトにおいて、断面略Ｈ状で端部にフランジ部を折曲形成し、フランジ部間の開口に壁材を挿入して固定する鉄骨製の露出した建物の柱に収納体の背板を当接させて配線ダクトを固定する際に、収納体に固定するための固定片と、柱のフランジ部を挟持するための挟持片と、柱のフランジ部の端縁部と壁材の間隙に差し込んで引っ掛けるための引っ掛け片とをクランク状に折曲形成して有する取り付け部材を収納体の外側の背板の左右両端部に対向するように配置し、長手方向に適宜間隔をおいて複数箇所に設けたことにより、配線ダクトを建物の鉄骨製の露出した柱に固定する際に穴を開けることがなく、容易に取り付け作業ができるという優れた効果がある。
【００１９】
また、取り付け部材の固定片の両端部近傍に螺孔を夫々穿設し、固定片の一方の螺孔と対向する収納体の背板に挿通孔を穿設し、収納体の内側から挿通孔と一方の螺孔に第１の螺子を挿通させて螺着固定し、締め付けを緩めて第１の螺子を軸に前記取り付け部材が回動する際に他方の螺孔に螺着した第２の螺子と対向する収納体の側板に透孔を穿設し、透孔と隣接する背板に第２の螺子の軸部が挿入するために透孔と連続した螺子挿入孔を穿設し、第２の螺子を螺子挿入孔に挿入し、第１の螺子と第２の螺子を螺着固定したことにより、建物の鉄骨製の露出した柱に配線ダクトを容易に取り付けることができるという効果がある。
【図面の簡単な説明】
【図１】本発明に係る配線ダクトのカバーを外した状態を示す正面図である。
【図２】図１のＢ−Ｂ線矢視断面図である。
【図３】カバーが取り付けられた配線ダクトを示す正面図である。
【図４】図３のＤ−Ｄ線矢視断面図である。
【図５】図２のＣ−Ｃ線矢視断面図であり、（ａ）は取り付け部材が開いた状態、（ｂ）は取り付け部材が僅かに閉じた状態、（ｃ）は取り付け部材が閉じた状態を示す。
【図６】本発明に係る配線ダクトを柱に取り付けた状態を示す右側面図である。
【図７】従来の配線ダクトを壁材又は柱に固定する様子を示す斜視図である。
【符号の説明】
１      配線ダクト
３      収納体
６      背板
７      側板
１５    柱
１６    取り付け部材
１７    固定片
１８    挟持片
１９    引っ掛け片
２０ａ  螺孔
２０ｂ  螺孔
２１    挿通孔
２２ａ  第１の螺子
２２ｂ  第２の螺子
２４    透孔
２５    螺子挿入孔
【図１】
0004467165.tif 000002
【図２】
0004467165.tif 000003
【図３】
0004467165.tif 000004
【図４】
0004467165.tif 000005
【図５】
0004467165.tif 000006
【図６】
0004467165.tif 000007
【図７】
0004467165.tif 000008